(57)【要約】【課題】樋状のポットをパラペットの上に取付けるだけでよいから、簡単に施工でき、既設の建物に対しても容易に取付けられる。また、ポットは樋状に形成したから広い範囲を緑化でき、さらに、ポットには給水タンクを付設することで、注水の手間も軽減でき、容易に緑化を保持でき、簡単な施工で建物の緑化を図ることができ、外部からもよく見えて景観の向上にも役立つ建物のパラペットの緑化装置を得る。【解決手段】建物の屋上などのパラペットの上部に長さ方向に沿って、上面を開口５に形成した断面略コ字形の樋状の植栽用ポット３を併設し、このポット３にその長さ方向に沿って樋状の給水タンク４を一体に形成し、この給水タンク４に給水口７を設け、また、ポット３内への注水口６を複数、順次下方に位置するような配置で穿設し、植栽用ポット３の底部２４よりも少し上に水抜き孔１０を形成した。【選択図】        図１
2008000080.tif 000002
【特許請求の範囲】
【請求項１】
建物の屋上などのパラペットの上部に長さ方向に沿って、上面を開口に形成した断面略コ字形の樋状の植栽用ポットを併設し、このポットにその長さ方向に沿って樋状の給水タンクを一体に形成し、この給水タンクに給水口を設け、また、ポット内への注水口を複数、順次下方に位置するような配置で穿設し、植栽用ポットの底部よりも少し上に水抜き孔を形成したことを特徴とするパラペットの緑化装置。
【請求項２】
植栽用ポットは、建物の屋上などのパラペットの上端に笠木を取り付け、この笠木の上面に長さ方向に沿って固定する請求項１記載のパラペットの緑化装置。
【請求項３】
植栽用ポットは、建物の屋上などのパラペットの上部内側に断面クランク形状の支持体を介して固定する請求項１記載のパラペットの緑化装置。
【発明の詳細な説明】
【技術分野】
【０００１】
本発明は、建物の屋上などのパラペットの緑化装置に関するものである。
【背景技術】
【０００２】
近年、多くの農地や樹林地が失われた結果、都市部ではヒートアイランド現象が発生し、地球温暖化の原因ともなっている。そこで、都市部での緑化対策として、また、建物の省エネ効果を図るため、例えば、建物の屋上緑化や壁面緑化が実施されている。
【０００３】
屋上緑化は、例えば、屋上の床面に耐根シートを敷設し、この上にさらに不織布を敷設し、この上に土壌を敷き均すようにしている。
【０００４】
また、壁面緑化は、建物の外壁面の前にネット下地金物枠をわずかな空間を存してポリエステル製ネットを張設するもので、アイビーや夏蔦などをカンガルー方式によりポケットから下がらせるようにする。
【０００５】
前記従来技術は、当業者間で一般的に行われているものであり、文献公知発明にかかるものではない。
【発明の開示】
【発明が解決しようとする課題】
【０００６】
前記方法は施工に手間を要し、工事も大掛かりなものになる。また、屋上緑化は、その建物よりも低い位置の外部からは見ることができず、景観の向上という点では期待できない。
【０００７】
本発明の目的は前記従来例の不都合を解消し、簡単な施工で建物の緑化を図ることができ、外部からもよく見えて景観の向上にも役立つ建物のパラペットの緑化装置を提供することにある。
【課題を解決するための手段】
【０００８】
本発明は前記目的を達成するため、請求項１記載の発明は、建物の屋上などのパラペットの上部に長さ方向に沿って、上面を開口に形成した断面略コ字形の樋状の植栽用ポットを併設し、このポットにその長さ方向に沿って樋状の給水タンクを一体に形成し、この給水タンクに給水口を設け、また、ポット内への注水口を複数、順次下方に位置するような配置で穿設し、植栽用ポットの底部よりも少し上に水抜き孔を形成したことを要旨とするものである。
【０００９】
請求項１記載の本発明によれば、パラペットの上部に植栽用のポットを設置するだけのものであるから、施工が容易で簡単に緑化を図ることができ、このポットにした植栽は建物の外部のほとんどの位置から見ることができ、都市部の景観向上にもなる。
【００１０】
また、植栽用のポットは上面を開口に形成した断面略コ字形の樋状に形成したから、パラペットの長さ方向の全長にわたって付設でき、雨水を開口から得ることができるとともに、底面に潅水をし、水抜き孔から空気を取り入れることもできる。
【００１１】
また、ポットには給水用のタンクを設けたから、植栽への注水も簡単であり、さらに、注水口は給水口から離れた位置に形成されるものを順次低くしたから、ポットを長尺なものに形成することで、給水口から離れた位置に注水口が形成されても、ポットのどの場所へもほぼ均等に注水される。
【００１２】
請求項２記載の本発明は、植栽用ポットは、建物の屋上などのパラペットの上端に笠木を取り付け、この笠木の上面に長さ方向に沿って固定することを要旨とするものである。
【００１３】
請求項２記載の本発明によれば、植栽用のポットは樋状に形成したから、パラペットの長さ方向の全長にわたって付設でき、付設は笠木の上に設置するだけでよいから簡単に施工できる。
【００１４】
請求項３記載の本発明は、植栽用ポットは、建物の屋上などのパラペットの上部内側に断面クランク形状の支持体を介して固定することを要旨とするものである。
【００１５】
請求項３記載の本発明によれば、植栽用のポットの付設はパラペットの上部内側に断面クランク形状の支持体を介して設置するだけでよいから簡単に施工できる。パラペットに笠木を取付ける場合は、ポットの取り付けを笠木の取り付けと同時に行えば簡単に施工できる。
【発明の効果】
【００１６】
以上述べたように本発明のパラペットの緑化装置は、樋状のポットをパラペットの上に取付けるだけでよいから、簡単に施工でき、既設の建物に対しても容易に取付けられる。また、ポットは樋状に形成したから広い範囲を緑化でき、さらに、ポットには給水タンクを付設することで、注水の手間も軽減でき、容易に緑化を保持できる。
【発明を実施するための最良の形態】
【００１７】
以下、図面について本発明の実施形態を詳細に説明する。図１は本発明のパラペットの緑化装置の第１実施形態を縦断側面図で、建物の屋上などの外周に、外壁にそって立ち上げた腰壁であるパラペットを緑化するものであり、第１実施形態はパラペット１の上にピース金物４１を介して笠木２が取付けられているタイプの場合である。
【００１８】
本発明は、笠木２の上面にその長さ方向にそって植栽用の樋状のポット３を設置した。このポット３はアルミニウム合金などの押し出し型材による長尺物で、上面を開口５に形成した断面略コ字形であり、一方の側面内側の上部に長さ方向にそって断面長方形状の樋状の給水タンク４を一体に形成した。なお、ポット３は押し出し型材によらずに板体の曲げ物や溶接物で形成することも可能である。
【００１９】
ポット３は、上面の開口５の、建物の外側に位置する側縁に内向きのフランジによる棚板３ａを形成し、その対向部である内側の側縁に前記給水タンク４を形成し、この給水タンク４からも前記棚板３ａに対向する棚板３ｂを突設する。
【００２０】
笠木２は、長尺物の複数が長さ方向に連結されるものであることから、これに伴いポット３も複数が長さ方向に連結される。  
【００２１】
給水タンク４は、長さ方向の一方の端の上部に給水口７を形成し、ポット３の内方側の壁面に長さ方向にそって複数の注水口６を設ける。この場合、注水口６は、ポット３内に確実に注水されるよう前記給水口７から離れるにしたがい、順次下方に位置するように配置する。
【００２２】
なお、前記注水口６はこれを図５に示すようにスリット２２としてもよい。さらに、このスリット２２はポット３の接続部におけるピッチ切欠きとすることもできる。また、前記のように注水口６を給水口７から離れるにしたがい、順次下方に位置するように配置するにはスリット２２にゴム製等の遮蔽板２３を嵌め、この遮蔽板２３に形成する孔をもって注水口６とし、各遮蔽板２３毎に注水口６の高さ位置を異ならせる。
【００２３】
ポット３も複数が長さ方向に連結される際に、給水タンク４も当然長さ方向に連結されるが、図６に示すように連結用パイプ３６を介在させて相互に連通させる。図中３７はこの連結用パイプ３６の外周に配置するシール材で、独立発泡伸縮シートを接着させるか、スポンジを用いる。
【００２４】
図７に示すように、前記給水口７はこれを給水タンク４端に挿入可能な一端を閉じた角パイプ３８に形成してもよい。また、給水タンク４の他端には図８に示すように、閉塞用のブロック３９を配設する。
【００２５】
隣接の給水タンク４との連結については、このような連結用パイプ３６での接続の他に、図１に示すように連結用の孔８を形成し、隣接の給水タンク４を外部からの連結管で接続してもよい。
【００２６】
また、ポット３の底部２４はテーパー角部として縮径し、多少の深さを確保した上で、ポット３の側壁でこの底部２４よりも少し上に水抜き孔１０を設けた。
【００２７】
かかるポット３の笠木２への固定手段は、笠木２の上面に、建物の外側位置に係止用の内向きの爪を備えたリブ１１を突設し、同じく笠木２の上面で建物の内側位置に係止用のリブ１２を外側に向けて斜めに突設した。１１ａ、１２ａは、リブ１１、１２に形成した水抜き孔を示す。
【００２８】
一方、ポット３の底部に、前記リブ１１に係止する突条１３を突設するとともに、前記リブ１２に係合する一対の突条１４を突設する。
【００２９】
そして、ポット３側の突条１３を笠木２側のリブ１１に嵌合し、一対の突条１４間にリブ１２を差し込んでビス１５で突条１４とリブ１２を結合してポット３を笠木２の上に固定する。
【００３０】
図示は省略するが、ポット３の端部の側方開口は蓋材で閉塞する。この蓋材には種々の形状のものが考えられる。また、給水タンク４の上面開口には断面横コ字形の溝蓋２５を被せ、ボルト・ナット２６で係止する。
【００３１】
以上がパラペット１の上部の笠木２を介してポット３を載置する場合であるが、図２は第２実施形態として建物の外側に突出する陣笠２７をポット３の側方に取り付け、建物の外側と、建物の内側（屋上側）に突出する水切り２８を設けた場合である。この陣笠２７は笠木であり、パラペット１の上にピース金物４１を介して取り付けられるが、ポット３は笠木に連結される点では前記第一実施形態と同様である。
【００３２】
また、図３、図４は第３実施形態を示し、前記第１実施形態ではポット３を笠木２の上部に固定したが、第２実施形態では断面クランク形状の支持部材２０を介してパラペット１に固定する。
【００３３】
支持部材２０は、パラペット１の上部に係止する上部水平部２０ａと、これに連成される垂直部２０ｂと、この垂直部２０ｂからさらに連成される下部水平部２０ｃとで形成され、下部水平部２０ｃの先端はこれを上向きに折り曲げてポット３の係止部２０ｄに形成した。この場合、支持部材２０はポット３を下から支えるものとなる。
【００３４】
かかる支持部材２０の上部水平部２０ａをパラペット１の上部に重合し、ビス止めなどによりパラペット１に固定する。
【００３５】
前記支承梁３０はポット３の棚板３ａと棚板３ｂ間に掛け渡し、ボルト３１で止めることでポット３の広がりを押さえる役割と、ネット支持金物４２の端を結合させる役割がある。
【００３６】
前記ネット支持金物４２は、断面クランク形状の帯金物で、前記支承梁３０に結合する端部と反対側の端部は笠木２０の上面に当接させるが、その際、緩衝材３２を介在させる。
【００３７】
いずれの例でもポット３の構造は第１実施形態と同様である。また、前記第１実施形態、第２実施形態のいずれの実施形態の場合も、ポット３に植栽するには、ポット３の底部２４には炭、セラミック等３３を充填し、その上に緑化基盤材としての保水機能土３４を投入する。この緑化基盤材としては、例えば、天然有機軽量緑化基盤材（天然土壌である紅原泥炭）を使用するものであり、これは、薄い土層（約７ｃｍ）で植栽可能であるため強度の低い既存建築物の屋上にも使用可能で、複数の人口資材を使用しないため施工や管理の手間が省け、保水性と透水性に優れているため水分の供給の手間が軽減される。
【００３８】
前記炭、セラミック等３３は排水材として機能するもので、水抜き孔１０はこれに対応する位置にある。また、炭、セラミック等３３と保水機能土３４との境界にはネット３５を介在させておいてもよい。
【００３９】
このようにして緑化基盤材を投入したポット３に植栽すれば、簡単に建物の緑化を図ることができ、また、ポット３は笠木２の上部に配設されているから、建物外からよく見える。
【００４０】
そして、給水タンク４に給水口７から給水すれば、水は給水タンク４内に貯留し、注水口６からポット３内の緑化基盤材内に浸透する。余分な水はポット３の底部に形成した水抜き孔１０からポット３外に排水される。排出された水は、屋上の床部に落下するが、ここから屋上に設けてある建物の排水設備に合流する。
【００４１】
前記第３実施形態の場合は、ポット３はパラペット１の内側に位置するからパラペット１および笠木２に隠蔽されて建物の外部から直接看取できない。よって、ポット３内の植栽だけが外部から看取されることになり、さらに景観の向上を図れる。
【００４２】
また、ポット３は支持部材２０で吊支承し、または載せるだけでよいから、設置が容易であるのみならず、パラペット１の内側にあることで、メンテナンスも容易である。
【００４３】
また、前記第３実施形態の場合は、耐候性ネット４０で上方から覆うようにしてもよい。
【図面の簡単な説明】
【００４４】
【図１】本発明のパラペットの緑化装置の第１実施形態を示す縦断側面図である。
【図２】本発明のパラペットの緑化装置の第２実施形態を示す縦断側面図である。
【図３】本発明のパラペットの緑化装置の第３実施形態を示す縦断側面図である。
【図４】本発明のパラペットの緑化装置の第４実施形態を示す斜視図である。
【図５】注水口の形成の一例を示す斜視図である。
【図６】給水タンクの接続を示す斜視図である。
【図７】給水タンクの端部給水口を示す斜視図である。
【図８】給水タンクの端部閉塞部を示す斜視図である。
【符号の説明】
【００４５】
１  パラペット                  ２  笠木
３  ポット                      ３ａ、３ｂ  棚板
４  給水タンク                  ５  開口
６  注水口                      ７  給水口
８  孔                          ９  連結管
１０  水抜き孔                  １１、１２  リブ
１１ａ、１２ａ  水抜き孔
１３  突条                      １４  突条
１５  ビス                      １６  蓋材
１７  切欠き                    １８  フランジ
１９  係止突片                  ２０  支持部材
２０ａ  上部水平部              ２０ｂ  垂直部
２０ｃ  下部水平部              ２０ｄ  係止部
２１  ボルト                    ２２  スリット
２３  遮蔽板                    ２４  底部
２５  溝蓋                      ２６  ボルト・ナット
２７  陣笠                      ２８  水切り
３０  支承梁                    ３１  ボルト
３２  緩衝材                    ３３  炭、セラミック等
３４  保水機能土                ３５  ネット
３６  連結用パイプ              ３７  シール材
３８  角パイプ                  ３９  閉塞用のブロック
４０  耐候性ネット              ４１  ピース金物
４２  ネット支持金物
【図１】
2008000080.tif 000003
【図２】
2008000080.tif 000004
【図３】
2008000080.tif 000005
【図４】
2008000080.tif 000006
【図５】
2008000080.tif 000007
【図６】
2008000080.tif 000008
【図７】
2008000080.tif 000009
【図８】
2008000080.tif 000010